(57)【要約】【課題】  蛍光灯等の照明環境下でカメラ撮影した場合、画像がフリッカする現象が発生する。このフリッカ現象を回避するためにはカメラが撮像した信号を光電変換するＣＣＤセンサ１のフレームレートを蛍光灯に電源供給する商用周波数の２倍の周波数の約数に相当する周期のフレームレートにすればよい。しかし、フリッカを検出するには別途検出回路を必要とした。【解決手段】  画像処理部３が画像処理した信号から自動露光制御回路４がカメラ撮影した環境下における照度を計測する。この自動露光制御回路４が計測した照度が所定値以下の場合、ＣＣＤセンサ１のフレームレートを商用周波数の２倍の周波数の約数に相当する周期のフレームレートにする。【選択図】          図１
2006093840.tif 000002
【特許請求の範囲】
【請求項１】
カメラから入力する撮像信号を所定のフレームレートで光電変換するセンサ部、このセンサ部の出力をＡ／Ｄ変換するＡ／Ｄ変換回路、このＡ／Ｄ変換回路の出力を画像処理する画像処理部、この画像処理部が画像処理した信号から撮像した画像の照度を検出する露光制御回路、この露光制御回路の検出する照度に基づいて上記センサ部のフレームレートを制御する制御部を備え、該制御部は、上記露光制御回路が検出する照度が所定値以下のとき上記フレームレートを商用周波数の２倍の約数に応じたフレームレートにすることを特徴とするカメラ付携帯機器。
【請求項２】
５０ＨＺ又は６０ＨＺの何れかの商用周波数の２倍の約数に応じたフレームレートにすることを特徴とする請求項１に記載のカメラ付携帯機器。
【請求項３】
５０ＨＺ及び６０ＨＺそれぞれの２倍の公約数に応じたフレームレートにすることを特徴とする請求項１に記載のカメラ付携帯機器。
【発明の詳細な説明】
【技術分野】
【０００１】
この発明は、携帯電話機等のカメラ付携帯機器に関し、特に屋内におけるフリッカ現象を回避・抑制するようにしたカメラ付携帯機器に関する。
【背景技術】
【０００２】
一般に、屋内照明には蛍光灯が使用されている。蛍光灯は、視覚では認識できないが商用周波数の２倍の周期で明滅しており、そのような環境でカメラ撮像した場合、カメラの撮像信号を光電変換するセンサ部のフレームレートによっては画像が明滅するフリッカ現象が発生してしまう。
【０００３】
このフリッカ現象は、蛍光灯に電源供給する商用電源周波数の２倍の周期とセンサ部における光の蓄積時間（フレームレート）の位相ずれにより発生するものであり、これを回避・抑制するには、フレームレートを商用電源周波数の２倍の周期と同期したフレームレートにすればよい。
【０００４】
従来、フリッカ現象を抑制するものとして、特許文献１に記載されたものがある。特許文献１に記載されたフリッカを防止する手段は、フリッカを検出する手段が必要であり、かつ、フリッカ現象の要因となる商用電源の周波数が地域によって異なるため、ＧＰＳ等の位置測定システムを用いて商用周波数を特定するようにしている。
【０００５】
【特許文献１】特開２００３−２５９１７８号公報
【発明の開示】
【発明が解決しようとする課題】
【０００６】
従来のカメラ付携帯機器は、フリッカ現象を抑制するためにフリッカを検出する手段や位置測定システムを用いたものであり、装置自体が高価なものになってしまう問題点があった。
【０００７】
この発明は、上記のような問題点に鑑みてなされたものであり、カメラ付携帯機器が通常装備している構成を用いてフリッカの発生を想定し、フリッカの発生を回避・抑制することを目的としている。
【課題を解決するための手段】
【０００８】
この発明に係るカメラ付携帯機器は、カメラから入力する撮像信号を所定のフレームレートで光電変換するセンサ部、このセンサ部の出力をＡ／Ｄ変換するＡ／Ｄ変換回路、このＡ／Ｄ変換回路の出力を画像処理する画像処理部、この画像処理部が画像処理した信号から撮像した画像の照度を検出する露光制御回路、この露光制御回路の検出する照度に基づいて上記センサ部のフレームレートを制御する制御部を備え、該制御部は、上記露光制御回路が検出する照度が所定値以下のとき上記フレームレートを商用周波数の２倍の約数に応じたフレームレートにするように構成したものである。
【発明の効果】
【０００９】
この発明によれば、露光制御回路が検出する照度が所定値以下のときフレームレートを商用周波数の２倍の約数に応じたフレームレートにすることにより、フリッカの発生を回避・抑制することができる効果がある。
【発明を実施するための最良の形態】
【００１０】
以下、この発明の実施の形態について図を用いて説明する。
【００１１】
図１はこの発明に係るフリッカの発生を回避・抑制する機能を有する携帯機器のブロック図であり、１は図示しないカメラが撮像した撮像信号を入力し、所定のフレームレートで上記撮像信号を光電変換するＣＣＤセンサであり、該ＣＣＤセンサ１で光電変換されたアナログの撮像信号はＡ／Ｄ変換回路２で信号処理がしやすいようにデジタル信号に変換される。デジタル信号に変換された撮像信号は画像処理部３に入力され画像処理が施され、さらに図示しないＬＣＤ等の表示装置に表示するための処理やＪＰＥＧ処理が行なわれる。
一方、画像処理部３で画像処理された信号は自動露光制御回路４に入力され、入力した信号からカメラ撮像した環境の照度が計測される。自動露光制御回路４が計測した照度は演算回路５に入力され、自動露光制御回路４の計測する照度に応じたフレームレートを演算する。演算回路５の演算したフレームレートはタイミングジェネレータ６に入力され、ＣＣＤセンサ１のフレームレートが所定のフレームレートとなるように、ＣＣＤセンサ１が光を蓄積する時間をタイミング制御する。
【００１２】
以上述べたように、自動露光制御回路４、演算回路５及びタイミングジェネレータ６によりＣＣＤセンサ１のフレームレートを制御する動作は通常行なわれる動作である。しかし、この動作だけでは蛍光灯等の照明環境で撮像した場合に画像がフリッカ現象を誘発する可能性がある。
【００１３】
そこで、蛍光灯等の照明環境下を想定すると、一般に屋内であり、屋外における照度３００００ｌｘに対して６０００〜８０００ｌｘと極端に低下する。従って、自動露光制御回路４が計測する照度が例えば８０００ｌｘ以下の場合に蛍光灯等の照明環境下にあると想定することができる。
【００１４】
演算回路５は、自動露光制御回路４が計測する照度が８０００ｌｘ以下のとき、フレームレートが商用周波数の２倍の約数の周波数に相当するフレームレートを演算し、タイミングジェネレータ６に出力する。この結果、ＣＣＤセンサ１のフレームレートが制御され、フリッカ現象の発生を回避・抑制することができる。
【００１５】
ここで、商用周波数は５０ＨＺ又は６０ＨＺであり、使用する場所によって異なる。従って、使用する場所が予めわかっている場合は、例えば５０ＨＺの場合はフレームレートを１００ＨＺの約数である２５ＨＺに、６０ＨＺの場合はフレームレートを１２０ＨＺの約数である３０ＨＺに相当するレートにする。一方、使用する場所の周波数が不明な場合は、１００ＨＺ及び１２０ＨＺの公約数である２０ＨＺに相当するレートにすればよい。
【産業上の利用可能性】
【００１６】
この発明は、カメラを内蔵した携帯電話機等のカメラ付携帯機器に適用することができる。
【図面の簡単な説明】
【００１７】
【図１】この発明の実施の形態の係るフリッカの発生を回避・抑制する機能を有する携帯機器のブロック図である。
【符号の説明】
【００１８】
１  ＣＣＤセンサ    ２  Ａ／Ｄ変換回路    ３  画像処理部    ４  自動露光制御回路    ５  演算回路    ６  タイミングジェネレータ。
【図１】
2006093840.tif 000003